(57)【要約】【課題】加熱処理による方法では、長時間の加熱が必要であり、処理に時間がかかり、殺菌効果も低いという問題点があったので、処理時間が短く、かつ、殺菌効果も高い血液製剤の殺菌方法を提供する。【解決手段】本発明に係る血液製剤の殺菌方法は、血液製剤を封入した血液製剤封入容器４５中の菌を放電により生じた圧力波により殺菌する。具体的には、上部開放の容器１９内に水道水のような液体４１を入れ、液体４１中に、電極装置２の放電電極部６を設置し、血液製剤封入容器４５を放電電極部６の近傍に位置させる。放電電極部６の電極４；５間での放電により生じた圧力波が圧力波伝達媒体としての液体４１を介して血液製剤封入容器４５内に伝達され、当該伝達された圧力波によって血液製剤封入容器４５内の細菌を死滅させることができる。【選択図】図１
2011125548.tif 000002
【特許請求の範囲】
【請求項１】
血液製剤を封入した血液製剤封入容器中の菌を放電により生じた圧力波により殺菌することを特徴とする血液製剤の殺菌方法。
【発明の詳細な説明】
【技術分野】
【０００１】
本発明は、血液製剤中の菌を速効的に殺菌可能な血液製剤の殺菌方法に関する。
【背景技術】
【０００２】
血液製剤中の菌の殺菌方法として、血液製剤を加熱処理する方法が知られている（特許文献１など参照）。
【先行技術文献】
【特許文献】
【０００３】
【特許文献１】特開平０５−１８６３５８号公報
【発明の概要】
【発明が解決しようとする課題】
【０００４】
しかしながら、上述した加熱処理による方法では、長時間の加熱が必要であり、処理に時間がかかる。また、殺菌効果も低いという問題点があった。
本発明は、処理時間が短く、かつ、殺菌効果も高い血液製剤の殺菌方法を提供する。
【課題を解決するための手段】
【０００５】
本発明に係る血液製剤の殺菌方法は、血液製剤を封入した血液製剤封入容器中の菌を放電により生じた圧力波により殺菌するので、処理時間が短く、かつ、殺菌効果も高い血液製剤の殺菌方法を提供できる。
【図面の簡単な説明】
【０００６】
【図１】殺菌装置を示す図（実施形態１）。
【図２】殺菌装置を示す図（実施形態２）。
【図３】殺菌装置を示す図（実施形態３）。
【図４】密閉容器と放電電極部と非電解質液との関係を示す図（実施形態３）。
【図５】殺菌装置を示す図（実施形態４）。
【図６】容器と放電電極部と非電解質液との関係を示す図（実施形態５）。
【図７】殺菌装置を示す図（実施形態５）。
【発明を実施するための形態】
【０００７】
実施形態１
殺菌対象物としての血液製剤を封入したバッグや瓶のような血液製剤封入容器４５中の菌を殺菌する殺菌装置１は、図１に示すように、電極装置２と、電源装置３と、電極装置２と電源装置３とを電気的に接続するための接続体３０とを備える。
【０００８】
尚、血液製剤とは、治療、予防または診断的適用を意図したヒトまたは動物の血液または血漿から得た製造物であり、酵素、凝固因子、酵素補因子、酵素阻害剤、免疫グロブリン、アルブミン、プラスミノーゲン、フィブリノーゲン、フィブロネクチンを含むプロ酵素あるいは血漿を含有し得るものであって、具体的には、濃厚赤血球、濃厚照射赤血球、洗浄赤血球、白血球除去赤血球、解凍赤血球濃厚液、合成血、新鮮凍結血漿、濃厚血小板、照射濃厚血小板、濃厚血小板ＨＬＡ、人全血液、自己血液、臍帯血、造血幹細胞液等を指す。
【０００９】
電極装置２は、間隔維持手段６Ａによって間隔（放電ギャップ）ｇを隔てて配置された正負の電極４；５からなる放電電極部６を備える。
【００１０】
電極４；５は、電極構成体４Ａ；５Ａの一端により形成される。電極構成体４Ａ；５Ａは、例えば線径２ｍｍ〜３ｍｍ程度の銅線のような導体線の周囲がビニル樹脂などの樹脂で被覆された線径４ｍｍ〜５ｍｍ程度のいわゆる被覆線により形成され、この場合、電極４；５は、被覆線の一端において露出する導体線の一端により形成されることになる。一端が正の電極４となる電極構成体４Ａの他端には正極端子４ａが設けられ、一端が負の電極５となる電極構成体５Ａの他端には負極端子５ａが設けられる。
【００１１】
直線状態の電極構成体４Ａ；５Ａの一端（電極４；５）側を直線状態から直角に折り曲げることにより、互いに直角関係なＬ字状の一端部を形成する。折り曲げられた部分４Ｂ；５Ｂ（以下、電極部という）の一端（電極４；５）同士が間隔ｇを隔てて配置され、間隔維持手段６Ａによって当該間隔ｇが保持された正負の電極４；５からなる放電電極部６が形成される。間隔維持部材６Ａは絶縁体により形成され、例えば、電極部４Ｂ；５Ｂにそれぞれ挟み付けられて取り付けられる挟着体６ｄ；６ｄを両端に備え、互いに対向するように設けられた一対の挟着体６ｄ；６ｄ間の間隔ｂ１が間隔維持材６ｅにより維持された構成である。間隔維持手段６Ａは、接着剤などで電極部４Ｂ；５Ｂに取り付けられて電極４；５が間隔ｇを隔てて対向するように電極部４Ｂ；５Ｂ同士を連結する図外の棒状絶縁体により構成してもよい。
【００１２】
電源装置３は、昇圧装置１２、パルスパワー出力装置１３を備える。
昇圧装置１２は、電源電圧入力部１４Ａ、図外の変圧器を備えた昇圧回路１５、出力部１４を備える。
昇圧回路１５は、電源電圧入力部１４Ａに接続された電源ケーブル１４Ｃ経由で例えば三相交流２００Ｖ電源電圧を入力して例えば直流２０ｋＶ〜５０ｋＶの電圧を生成し、生成した直流２０ｋＶ〜５０ｋＶの電圧を出力部１４より出力する。出力部１４は、正極端子１４ａと負極端子１４ｂとを備える。
【００１３】
パルスパワー出力装置１３は、入力端子１６、充電回路１７、出力部としての電極接続部１８を備える。入力端子１６は、正極端子１６ａと負極端子１６ｂとを備える。電極接続部１８は、正極端子１８ａと負極端子１８ｂとを備える。充電回路１７は、正極線１７ａ、負極線１７ｂ、コンデンサ２０、スイッチ２１；２２を備える。正極線１７ａには、スイッチ２１とスイッチ２２とが直列に接続される。正極線１７ａの一端が入力端子１６の正極端子１６ａに接続され、正極線１７ａの他端が電極接続部１８の正極端子１８ａに接続される。負極線１７ｂの一端が入力端子１６の負極端子１６ｂに接続され、負極線１７ｂの他端が電極接続部１８の負極端子１８ｂに接続される。コンデンサ２０は、正極線１７ａにおけるスイッチ２１とスイッチ２２との間の接続点と負極線１７ｂとに接続される。即ち、コンデンサ２０は、正極線１７ａ及び負極線１７ｂに並列接続される。スイッチ２１は昇圧装置１２から供給された電圧をコンデンサ２０に充電させるためのスイッチ、スイッチ２２はコンデンサ２０に充電された電荷を放電させて電極接続部１８経由で電極装置２に出力させるためのスイッチである。図示しないが、充電回路１７は接地（アース）されている。
【００１４】
接続体３０は、接続ケーブル３１と、接続ケーブル３１の一端に設けられた入力側コネクタ３２と、接続ケーブル３１の他端に設けられた出力側コネクタ３３とを備える。入力側コネクタ３２は、電源装置３の電極接続部１８の正極端子１８ａ及び負極端子１８ｂの各々に接続される正極端子３２ａ及び負極端子３２ｂを備える。出力側コネクタ３３は、電極構成体４Ａの正極端子４ａに接続される正極端子３３ａ及び電極構成体５Ａの負極端子５ａに接続される負極端子３３ｂを備える。
【００１５】
次に、殺菌装置１を用いた血液製剤の殺菌方法を説明する。上部開放の容器１９内に水道水のような液体４１を入れる。接続体３０の入力側コネクタ３２と電源装置３の電極接続部１８とを電気的に接続するとともに、接続体３０の出力側コネクタ３３と電極構成体４Ａ；５Ａとを電気的に接続する。電極装置２の放電電極部６を容器１９内の液体４１中に入れ、電極装置２を図外の支持装置で支持する。血液製剤封入容器４５を支持装置４６で吊るして液体４１中の放電電極部６の近傍に位置させる。電源装置３のスイッチ２１、スイッチ２２をともに非導通の状態としておいて、電源ケーブル１４Ｃを介して電源装置３を交流２００Ｖ電源に電気的に接続することで、電源ケーブル１４Ｃを経由して昇圧装置１２に交流２００Ｖ電源が供給され、交流２００Ｖが昇圧回路１５で例えば直流２０ｋＶ〜５０ｋＶに昇圧される。そして、スイッチ２１を導通すると、コンデンサ２０に電荷が蓄積される。コンデンサ２０に電荷が蓄積された後に、スイッチ２２を導通する。これにより電極装置２の放電電極部６の電極４；５に電圧が印加されて電極４；５間で放電を生じ、当該放電により生じた圧力波が圧力波伝達媒体としての液体４１を介して血液製剤封入容器４５内に伝達され、当該伝達された圧力波によって血液製剤封入容器４５内の細菌を死滅させることができる。
【００１６】
以下の条件で実験を行った。
・放電電極部６の間隔ｇを１ｃｍとした電極装置２を用いた。
・水１ｃｃに対して５６０個の大腸菌を含む液を２０ｃｃの血小板液中に混ぜた血液製剤をバッグ内に封入した血液製剤封入容器４５を、２０リットルの水を入れた容器１９内の液体４１中に入れ、放電電極部６の間隔ｇの中心から１５ｃｍ離れた位置に配置した。
上記実験条件において、放電を５０μｓ間行った後に、血液製剤封入容器４５内から血液製剤を取り出して血液製剤中の大腸菌の数を確認したところ、大腸菌の数は０であった。即ち、血液製剤中に混ぜた全ての大腸菌が死滅したことを確認できた。また、血液製剤の細胞が破壊されていないことも確認できた。
【００１７】
実施形態１によれば、血液製剤中の菌を短時間で殺菌でき、殺菌効果も高く、血液製剤の細胞も破壊しない理想的な血液製剤の殺菌方法が得られた。
【００１８】
実施形態２
図２に示すような電極装置２を用いてもよい。当該電極装置２は、例えば、＋電極のような一方電極としての棒状の内部導体７３と、内部導体７３の外周囲を被覆する筒状の絶縁体７４と、絶縁体７４の外周囲に設けられた−電極のような他方電極としての外部導体７５とにより構成される。すなわち、当該電極装置２は、内部導体７３と絶縁体７４と外部導体７５とが同軸状に配置された構成の同軸電極である。外部導体７５は、内部導体７３の中心線に沿った方向に間隔を隔てて設けられた複数の浮遊電極７６；７６・・・を構成する。浮遊電極とは、電源側と電気的に絶縁された電極のことである。絶縁体７４の先端７４ｔより突出して露出する内部導体７３の先端部７３ｔとこの先端部７３ｔに最も近い浮遊電極７６の先端部７６ｔとで放電を生じさせる先端側放電ギャップ７７が形成され、互いに対向する浮遊電極７６同士の端部７６ｓと端部７６ｓとで放電を生じさせる中間側放電ギャップ７８が形成される。中間側放電ギャップ７８は複数形成される。先端側放電ギャップ７７、中間側放電ギャップ７８が維持された内部導体７３と複数の浮遊電極７６とにより放電電極部６が形成される。動作及び効果は実施形態１と同じである。
【００１９】
実施形態３
図３に示すような電極装置２を用いてもよい。当該電極装置２は、実施形態１で説明した電極装置２の構成に加えて、非電解質液７と、非電解質液７を密閉状態に収容するとともに放電電極部６を非電解質液７中に位置させた状態に保持する密閉容器８とを備える。
【００２０】
図４に示すように、密閉容器８は、容器本体８Ａと、円筒水密部材８Ｂと、開閉キャップ８Ｃと、放電電極部６の電極間の間隔を維持する間隔維持手段１１とを備える。容器本体８Ａは、例えば、断面楕円あるいは断面正円の円柱形状の収容空間を有した円柱形状に形成され、円柱の両端に相当する位置に互いに平行に対向する一対の壁部８ａ；８ａを有する。一対の壁部８ａ：８ａにはそれぞれ密閉容器８の内外に貫通する貫通孔９；９が形成される。各貫通孔９は、一本の直線である同一の中心軸９ａを中心とした円孔に形成される。貫通孔９内には、貫通孔９と同心状の円筒水密部材８Ｂが取り付けられる。容器本体８Ａにおける円柱の周面に相当する位置には、密閉容器８の内外に貫通する注入口１０が設けられ、この注入口１０は、当該注入口１０を開閉するための開閉キャップ８Ｃにより開閉自在である。密閉容器８は、例えば、ポリエチレン(ＰＥ)、ポリプロピレン(ＰＰ)などの改質ポリオレフィン、その他の合成樹脂により形成される。容器本体８Ａは、断面四角や断面三角などの角柱形状の収容空間Ｓを有した角柱形状、その他の形状に形成されたものでもよい。即ち、非電解質液７を密閉状態に収容するとともに放電電極部６を非電解質液７中に位置させた状態に保持できる形状であればよい。
【００２１】
直線状態の電極構成体４Ａ；５Ａの一端（電極４；５）側を直線状態から直角に折り曲げることにより、互いに直角関係なＬ字状の一端部を形成する。折り曲げられた部分である電極部４Ｂ；５Ｂの一端（電極４；５）から円筒水密部材８Ｂの筒孔８Ｄ経由で密閉容器８内に挿入して、電極部４Ｂ；５Ｂが押し込めなくなるまで電極部４Ｂ；５Ｂを密閉容器８内に押し込んだ後に、電極部４Ｂ；５Ｂと直角をなす直線部４Ｃ；５Ｃを接着剤や接着テープなどで密閉容器８の壁部８ａ；８ａの外面８ｂ；８ｂに固定することにより、電極４；５間の間隔が放電ギャップとなる所定の間隔ｇに維持される。即ち、密閉容器８の円柱形状の円柱の長さａ−（電極部４Ｂ；５Ｂの長さｂ×２）＝所定の間隔ｇとなるので、所望の所定の間隔ｇを得るための電極部４Ｂ；５Ｂの長さｂを決め、電極部４Ｂ；５Ｂと直角をなす直線部４Ｃ；５Ｃを密閉容器８の壁部８ａ；８ａの外面８ｂ；８ｂに固定することで、放電電極部６の間隔（放電ギャップ）ｇが維持される。つまり、当該密閉容器８の場合、直線部４Ｃ；５Ｃが接着剤などにより固定される両端部の壁部８ａ；８ａが、放電電極部６の間隔ｇを維持するための間隔維持手段１１として機能する。間隔ｇは、例えば１ｃｍ程度に設定される。そして、注入口１０を介して密閉容器８内に非電解質液７を入れた後に、注入口１０に開閉キャップ８Ｃを取り付けて注入口１０を閉じてから、放電電極部６を非電解質液７中に浸す。非電解質液７としては、例えば、純水，絶縁油等を用いる。以上により、円筒水密部材８Ｂ及び開閉キャップ８Ｃによって非電解質液７を密閉状態に収容するとともに放電電極部６を非電解質液７中に位置させた状態に保持する密閉容器８を備えた電極装置２が得られる。電源装置３及び接続体３０は、実施形態１；２と同じである。
【００２２】
次に当該殺菌装置１を用いた殺菌方法を説明する。上部開放の容器１９内に水道水のような液体４１を入れる。接続体３０の入力側コネクタ３２と電源装置３の電極接続部１８とを電気的に接続するとともに、接続体３０の出力側コネクタ３３と電極構成体４Ａ；５Ａとを電気的に接続する。電極装置２の非電解質液７と放電電極部６とが密閉状態に収容された密閉容器８を容器１９内の液体４１中に入れ、電極装置２を図外の支持装置で支持させ、電極装置２の密閉容器８を液体４１中に保持する。血液製剤封入容器４５を支持装置４６で吊るして液体４１中の放電電極部６の近傍に位置させる。電源装置３のスイッチ２１、スイッチ２２をともに非導通の状態としておいて、電源装置３を電源ケーブル１４Ｃを介して交流２００Ｖ電源に電気的に接続することで、電源ケーブル１４Ｃを経由して昇圧装置１２に交流２００Ｖ電源が供給され、交流２００Ｖが昇圧回路１５で例えば直流２０ｋＶ〜５０ｋＶに昇圧される。そして、スイッチ２１を導通すると、コンデンサ２０に電荷が蓄積される。コンデンサ２０に電荷が蓄積された後に、スイッチ２２を導通する。これにより電極装置２の放電電極部６の電極４；５に電圧が印加されて電極４；５間で放電を生じ、当該放電により生じた圧力波が圧力波伝達媒体としての非電解質液７，密閉容器８，液体４１を介して血液製剤封入容器４５内に伝達され、当該伝達された圧力波によって血液製剤封入容器４５内の細菌を死滅させることができる。
【００２３】
実施形態３によれば、非電解質液７を密閉状態に収容するとともに放電電極部６を非電解質液７中に位置させた状態に保持する密閉容器８を備えた電極装置２を用いたので、放電電極部６が非電解質液７中にあるため、放電によるアークを小さくでき、放電により生ずる圧力波のエネルギーを大きくできて、血液製剤封入容器４５内の細菌をより効率的に殺菌できる。
また、放電電極部６の周囲が非電解質液７であり、かつ、放電電極部６及び非電解質液７が密閉容器８で密閉状態に覆われているため、電気が密閉容器８の外の液体４１に漏れず、安全性にも優れる。
【００２４】
実施形態４
図５に示すような電極装置２を用いてもよい。当該電極装置２は、実施形態２で説明した電極装置２（同軸電極）における放電電極部６と実施形態３で説明した非電解質液７とを実施形態３で説明した密閉容器８で密閉した構成である。実施形態４の電極装置２を用いた場合の動作及び効果は実施形態３と同じである。
【００２５】
実施形態５
実施形態３；４では、非電解質液７を密閉状態に収容するとともに放電電極部６を非電解質液７中に位置させた状態に保持する密閉容器８を用いたが、図６；７に示すように、非電解質液７を収容するとともに放電電極部６を非電解質液７中に位置させた状態に保持する上部開放の容器８０を用いてもよい。容器８０としては、例えば、密閉容器８と同様の材料により形成された底板と４方の壁板とからなる直方体形状のものを用いればよい。そして、実施形態１で説明したように、容器８０の互いに平行に対向する一対の壁部８ａ；８ａには、貫通孔９；９、円筒水密部材８Ｂ；８Ｂが設けられ、電極構成体４Ａ；５Ａの電極部４Ｂ；５Ｂが円筒水密部材８Ｂの筒孔８Ｄ経由で容器８０内に設置され、直線部４Ｃ；５Ｃが接着剤や接着テープなどで容器８０の壁部８ａ；８ａの外面８ｂ；８ｂに固定され、電極４；５間の間隔が放電ギャップとなる所定の間隔ｇに維持される。その後、容器８０の上部開口８１を介して容器８０内に非電解質液７を入れ、放電電極部６を非電解質液７中に浸す。このように、非電解質液７を収容するとともに放電電極部６を非電解質液７中に位置させた状態に保持した容器８０を容器１９内の液体４１中に入れ、電極装置２を図外の支持装置で支持させ、電極装置２の密閉容器８を液体４１中に保持する。この場合、容器８０内の非電解質液７中に容器１９内の液体４１が入り込まないように、容器８０の上部開口８１を容器１９内の液体４１の液面より上方に位置させる。この場合、簡単な容器８０を用いることができるので、非電解質液７を密閉状態に収容するとともに放電電極部６を非電解質液７中に位置させた状態に保持する容器のコストを低減できる。
尚、図６；７では、電極構成体４Ａ；５Ａを用いた電極装置２を容器８０に設置した例を示したが、上述した同軸電極による電極装置２を容器８０に設置してもよいことはもちろんである。
【符号の説明】
【００２６】
１  殺菌装置、２  電極装置、４；５  電極、６  放電電極部、７  非電解質液、
８  密閉容器、４５  血液製剤封入容器、８０  容器、ｇ  間隔。
【図１】
2011125548.tif 000003
【図２】
2011125548.tif 000004
【図３】
2011125548.tif 000005
【図４】
2011125548.tif 000006
【図５】
2011125548.tif 000007
【図６】
2011125548.tif 000008
【図７】
2011125548.tif 000009